(57)【要約】【課題】塵埃による悪臭を効果的に抑制し、かつ脱臭剤の残量確認が容易な電気掃除機用集塵袋を提供する。【解決手段】塵埃吸引用の開口部１１を有する口芯１２と、開口部１１より吸引された塵埃を捕集する袋状体１６と、開口部１１に連通する排出口１９を有し、内部に粒状又は粉状の脱臭剤１３を収納すると共に透明材料で形成された収納ケース１４とからなるもので、塵埃吸引時の吸引風により、脱臭剤１３が排出口１９から排出され、それが、吸引される塵埃と混合して袋状体１６内に堆積することにより、塵埃と脱臭剤１３の接触面積が極めて広く、しかも脱臭剤１３が電気掃除機用集塵袋１０が廃棄されるまで残っているので、大きな脱臭効果が長時間持続でき、又、外部より収納ケース１４内の脱臭剤１３の残量が容易に確認でき、脱臭剤１３が切れたまま使用されるのを防止でき、使用勝手が良い。【選択図】図１
2006326026.tif 000002
【特許請求の範囲】
【請求項１】
塵埃吸引用の開口部を有すると共に掃除機本体内に装着される口芯と、前記開口部より吸引された塵埃を捕集する袋状体と、前記開口部に連通する排出口を有すると共に内部に粒状又は粉状の脱臭剤を収納した収納ケースとからなり、前記収納ケースを透明材料で形成した電気掃除機用集塵袋。
【請求項２】
口芯の少なくとも一部を透明材料で形成した請求項１に記載の電気掃除機用集塵袋。
【請求項３】
口芯の一部に、穴部を形成し、前記穴部に透明材料で形成した蓋体を設けた請求項１又は２に記載の電気掃除機用集塵袋。
【請求項４】
収納ケース又は口芯の透明材料で形成又は覆われた部分に、脱臭剤の残量を表示する目盛りを表示した請求項１〜３のいずれか１項に記載の電気掃除機用集塵袋。
【請求項５】
収納ケースの上方又は下方、または、透明材料で形成した口芯の上方又は下方に、脱臭剤の色と異なる色で前記脱臭剤の残量を表示するマーキングを表示した請求項１〜４のいずれか１項に記載の電気掃除機用集塵袋。
【請求項６】
袋状体の一端に塵埃を捨てる吐き出し口を形成し、前記吐き出し口を開閉する挟持具を設けた請求項１〜５のいずれか１項に記載の電掃除機用集塵袋。
【請求項７】
袋状体の一端に塵埃を捨てる吐き出し口を形成し、前記吐き出し口を開閉するファスナーを設けた請求項１〜５のいずれか１項に記載の電気掃除機用集塵袋。
【請求項８】
収納ケースに脱臭剤を投入する投入口を設け、前記投入口を着脱自在に覆う覆部材を設けた請求項１〜７のいずれか１項に記載の電気掃除機用集塵袋。
【請求項９】
投入口を、収納ケースの上部に配設した請求項８に記載の電気掃除機用集塵袋。
【請求項１０】
吸引力を発生させる電動送風機と、前記電動送風機と連通すると共に、請求項１〜９のいずれか１項に記載された電気掃除機用集塵袋を収納する集塵室を備えた電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関するものである。
【背景技術】
【０００２】
従来の電気掃除機用集塵袋内の塵埃から発する臭気の脱臭方法として、電気掃除機に、電気掃除機用集塵袋の口芯部を支持するフィルター台を設け、そのフィルター台に消臭芳香剤を設置したものがあった（例えば、特許文献１参照）。
【０００３】
図１１は、上記特許文献１に開示された電気掃除機の断面図を示すもので、電気掃除機本体１の前方には、集塵用ホース（図示せず）を着脱自在に接続する吸気口２と、この吸気口２に連通する集塵室３が設けられ、集塵室３内空間には、電気掃除機用集塵袋４の口芯部５を支持するフィルター台６が設けられており、このフィルター台６に、消臭芳香剤７が設置されていた。
【特許文献１】特許第２８１００９０号公報
【発明の開示】
【発明が解決しようとする課題】
【０００４】
しかしながら、上記特許文献１に記載された構成は、集塵室３内空間に消臭芳香剤６を設置して、集塵室３内に消臭成分を飛散させて、電気掃除機用集塵袋４内の塵埃の消臭を行い、運転時の排気臭を緩和させるようにしたものであるが、消臭芳香剤７は、塵埃の臭気に香りを混合させて、排気臭を緩和しようとするものであり、根本的な臭気の除去には至らず、吸引した塵埃の種類によっては、不快な異臭として電気掃除機本体１から排気されるという課題を有していた。
【０００５】
また、フィルター台６に消臭芳香剤７を配置させる構成により、フィルター台６等の部品点数が増え、安価に構成できないという課題があった。
【０００６】
本発明は、上記従来の課題を解決するもので、安価な構成で、電気掃除機用集塵袋内の塵埃の量や貯留期間に関係なく、掃除機本体使用時の排気に含まれる塵埃由来の臭気を大幅に低減し、且つ、脱臭剤の残量が容易に確認できる勝手の良い電気掃除機用集塵袋及び電気掃除機を提供することを目的とする。
【課題を解決するための手段】
【０００７】
前記従来の課題を解決するために、本発明の電気掃除機用集塵袋は、塵埃吸引用の開口部を有すると共に掃除機本体内に装着される口芯と、前記開口部より吸引された塵埃を捕集する袋状体と、前記開口部に連通する排出口を有すると共に内部に粒状又は粉状の脱臭剤を収納した収納ケースとからなり、前記収納ケースを透明材料で形成したもので、掃除機本体による塵埃吸引時の吸引風により、収納ケース内の粒状又は粉状の脱臭剤が排出口から排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また、収納ケースを透明材料で形成することにより、安価な構成で、収納ケース内の脱臭剤の残量が、外部より容易に確認できるので、電気掃除機用集塵袋が、脱臭剤が切れたまま使用されるのを防止でき、使用勝手が良い。
【０００８】
また、本発明の電気掃除機は、吸引力を発生させる電動送風機と、前記電動送風機と連通すると共に、請求項１〜９のいずれか１項に記載された電気掃除機用集塵袋を収納する集塵室を備えたもので、電気掃除機用集塵袋内に堆積した塵埃による異臭を排気することがなく、常に快適に使用できる電気掃除機を提供することが出来る。
【発明の効果】
【０００９】
本発明の電気掃除機用集塵袋及び電気掃除機は、塵埃由来の悪臭が排気に含まれるのを大幅に低減し、かつ電気掃除機用集塵袋内の塵埃が許容量に達するまで長期に渡って脱臭剤の残量を確認し脱臭効果を維持させることができる。
【発明を実施するための最良の形態】
【００１０】
第１の発明は、塵埃吸引用の開口部を有すると共に掃除機本体内に装着される口芯と、前記開口部より吸引された塵埃を捕集する袋状体と、前記開口部に連通する排出口を有すると共に内部に粒状又は粉状の脱臭剤を収納した収納ケースとからなり、前記収納ケースを透明材料で形成したもので、掃除機本体による塵埃吸引時の吸引風により、収納ケース内の粒状又は粉状の脱臭剤が排出口から排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また、収納ケースを透明材料で形成することにより、安価な構成で、収納ケース内の脱臭剤の残量が、外部より容易に確認できるので、電気掃除機用集塵袋が、脱臭剤が切れたまま使用されるのを防止でき、使用勝手が良い。
【００１１】
第２の発明は、特に、第１の発明の口芯の少なくとも一部を透明材料で形成したもので、口芯の透明材料で形成された部分を通して、外部から収納ケース内の脱臭剤の残量が容易に確認できるので、より使用勝手の良い電気掃除機用集塵袋が提供できる。
【００１２】
第３の発明は、特に、第１又は第２の発明の口芯の一部に、穴部を形成し、前記穴部に透明材料で形成した蓋体を設けたもので、覆体だけを透明材料で形成するので、材料費を削減することが可能となり、且つ、確実に収納ケース内の脱臭剤の残量が確認できるものとなる。
【００１３】
第４の発明は、特に、第１〜３のいずれか一つの発明の収納ケース又は口芯の透明材料で形成又は覆われた部分に、脱臭剤の残量を表示する目盛りを表示したもので、脱臭剤の残量を数値的に確認し、脱臭効果の維持確認も容易にできる。
【００１４】
第５の発明は、特に、第１〜４のいずれか一つの発明の収納ケースの上方又は下方、または、透明材料で形成した口芯の上方又は下方に、脱臭剤の色と異なる色で前記脱臭剤の残量を表示するマーキングを表示したもので、廉価な構成で、脱臭剤の減り具合を容易に確認することができる。
【００１５】
第６の発明は、特に、第１〜５のいずれか一つの発明の袋状体の一端に塵埃を捨てる吐き出し口を形成し、前記吐き出し口を開閉する挟持具を設けたもので、塵埃で一杯になった電気掃除機用集塵袋を電気掃除機本体から取外した後、挟持具を外せば、袋状体に溜まった塵埃を吐き出し口から容易に捨てられ、電気掃除機用集塵袋を廃棄することなく繰返し使用できる。また、塵埃を捨てた後、吐き出し口から、収納ケース内の脱臭剤の残量も確認できるものとなる。
【００１６】
第７の発明は、特に、第１〜５のいずれか一つの発明の袋状体の一端に塵埃を捨てる吐き出し口を形成し、前記吐き出し口を開閉するファスナーを設けたもので、塵埃で一杯になった電気掃除機用集塵袋を電気掃除機本体から取外した後、開閉自在のファスナーを開けば、吐き出し口から塵捨てが容易にできると共に、ファスナーは袋状体に一体的に設けられているので部品点数を増やすこともなく廉価な構成で繰返し使用できる。また、塵埃を捨てた後、吐き出し口から、収納ケース内の脱臭剤の残量も確認可能となり使い勝手が向上するものである。
【００１７】
第８の発明は、特に、第１〜７のいずれか一つの発明の収納ケースに脱臭剤を投入する投入口を設け、前記投入口を着脱自在に覆う覆部材を設けたもので、脱臭剤を使いきった時、覆部材を外して投入口から脱臭剤を補充でき、常に脱臭剤を一杯にすることが可能となり、収納ケース内の脱臭剤の脱臭性能を低下させることがなくなる。
【００１８】
第９の発明は、特に、第８の発明の投入口を、収納ケースの上部に配設したもので、脱臭剤の収納ケースへの投入動作が容易で、また、覆部材を投入口に着脱する時、収納ケースから脱臭剤がこぼれ出たりすることを防止できる。
【００１９】
第１０の発明は、吸引力を発生させる電動送風機と、前記電動送風機と連通すると共に、請求項１〜９のいずれか１項に記載された電気掃除機用集塵袋を収納する集塵室を備えたもので、電気掃除機用集塵袋内に堆積した塵埃による異臭を排気することがなく、常に快適に使用できる電気掃除機を提供することが出来る。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における電気掃除機用集塵袋の展開斜視図で、図２は、同電気掃除機用集塵袋の収納ケースの斜視図、図３は、同電気掃除機用集塵袋を搭載した電気掃除機の全体斜視図、図４は、同電気掃除機の掃除機本体の断面図、図５は、同電気掃除機の要部断面図である。
【００２２】
図１において、本実施の形態における電気掃除機用集塵袋１０（以下“集塵袋１０”という）は、塵埃吸引用の開口部１１を有し紙材又は樹脂材からなる口芯１２と、口芯１２の裏面（掃除機本体２１に装着した時に、吸引風の下流側になる面）に取着されると共に粒状又は粉状の脱臭剤１３を収納する収納ケース１４と、前面に塵埃吸引用の吸引口１５を有し、紙や布などからなる濾材で袋状に形成された袋状体１６から構成されている。また袋状体１６は、収納ケース１４の裏面に接着して取り付けられている。
【００２３】
また、収納ケース１４は透明材料で形成され、側部に収納ケース１４内の脱臭剤１３の減り具合がわかるようにするための目盛り４３が表示されている。
【００２４】
図２において、収納ケース１４は、開口部１７を備え、その開口部１７を形成すると共に口芯１２の開口部１１から流入する吸引風の流れと平行な内周面１８には、収納ケース１４の内部と開口部１７とを連通し、内部に収納された脱臭剤１３が排出される排出口１９が設けられている。また、収納ケース１４の上端には、収納ケース１４内に脱臭剤１３を投入した後に閉じられる蓋２０が設けられている（図は、蓋２０を開けた状態を示している）。
【００２５】
集塵袋１０の組み立ての際には、言うまでもなく、口芯１２の開口部１１と、収納ケース１４の開口部１７及び袋状体１６の吸引口１５が連通するように、それぞれの位置を合致させて取着される。
【００２６】
図３、図４において、掃除機本体２１は、後部に走行用の後輪２２が一対、前部に同じく走行用の前輪キャスター２３がそれぞれ設けられている。掃除機本体２１の前面には、後述の集塵室３１に連通する吸気口２４が設けられ、この吸気口２４にホース２５の一端に設けた接続パイプ２６が接続され、ホース２５の他端には、掃除機本体２１を使用する際に操作する先端パイプ２７が設けられている。さらに先端パイプ２７は、延長管２８を介して床用吸い込み具２９に接続される。
【００２７】
上記掃除機本体２１はその前部に、図４に示すように集塵袋１０を装着自在に収納すると共に集塵蓋３０で開閉自在に覆われる集塵室３１が、後部に、吸引風を発生させる電動送風機３２を収納する電動送風機室３３が、背面に電動送風機室３３と外部を連通し、電動送風機３３からの排気風を排出する排気口３４がそれぞれ配されている。３５は、集塵室３１と電動送風機室３３とを仕切る隔壁で、集塵室３１と電動送風機室３３とを連通する格子状の開口３６が設けられている。
【００２８】
掃除機本体２１の前部に設けた吸気口２４の後端に、ゴム、塩化ビニール、シリコーンなどの弾性材料からなり後方に円環状のリップ３７を有するパッキン３８が設けられている。
【００２９】
掃除機本体２１への集塵袋１０の装着は、まず集塵袋１０の口芯１２の下端を掃除機本体２１の底部に設けた溝部３９に挿入し、口芯１２の上端を、掃除機本体２１に傾動自在に設けられたフック４０に引っ掛けることにより完了する。なお口芯１２が所定に位置に取り付けられている状態では、パッキン３８のリップ３７が口芯１２の開口部１１の周縁に圧接され、気密を保つようになっている。
【００３０】
以上のように構成された電気掃除機及び電気掃除機用集塵袋の動作、作用を説明する。
【００３１】
掃除機本体２１から導出した電源コード（図示せず）のプラグ（図示せず）を壁コンセント（図示せず）に差し込み、先端パイプ２７に設けたスイッチ２７ａを操作すると、電動送風機３２の運転が開始し、それによって発生した吸引力が、ホース２５、延長管２８を経て、床用吸い込み具２９の底面に設けた吸い込み口（図示せず）に作用し、周囲の空気と共に、床面の塵埃が吸引される。
【００３２】
床用吸い込み具２９の吸い込み口から流入した空気は吸引風となって、塵埃と共に、延長管２８、ホース２５、吸気口２４を経て、口芯１２の開口部１１、収納ケース１４の開口部１７、袋状体１６の吸引口１５を通って、袋状体１６内に流入し、そこで塵埃が捕集され、きれいになった空気が、電動送風機３２を通って、排気口３４から外部に排出される。
【００３３】
そして、塵埃を含んだ吸引風が、収納ケース１４の開口部１７を通過する際に、図５に示すように、排出口１９を通して収納ケース１４内にエゼクター効果による吸引力が作用し、内部に収納された粒状又は紛状の脱臭剤１３が排出口１９から排出され、その排出された脱臭剤１３が塵埃と交じり合いながら、袋状体１６内に入り奥側（電動送風機３２側）から堆積していく。
【００３４】
以上のように、上記実施の形態によれば、掃除機本体２１による塵埃吸引時の吸引風により、収納ケース１４内の粒状又は粉状の脱臭剤１３が排出口１９から排出され、それが、吸引される塵埃と混合して袋状体１６内に堆積することにより、塵埃と脱臭剤１３の接触面積が極めて広く、しかも脱臭剤１３が、集塵袋１０が廃棄或いは、袋状体１６が空にされるまで残っているので、脱臭効果が大きくしかも長時間持続できるので、常に快適に掃除を行うことができる。また、収納ケース１４が透明材料で形成されているので、収納ケース１４内の脱臭剤１３の残量が、外部より容易に確認できるので、集塵袋１０が、脱臭剤が切れたまま使用されるのを防止でき、使用勝手が良い。
【００３５】
また、口芯１２も透明材料で形成すれば、口芯１２側からも収納ケース１４内の脱臭剤１３の残量が確認できるようになり、さらに使い勝手が向上する。
【００３６】
さらに、図１に示すように、透明材料で形成した口芯１２にも、目盛り４３を表示すると、収納ケース１４内の脱臭剤１３の残量を数値的に確認し、脱臭効果の維持確認も容易にできる。
【００３７】
また、図１に示すように、口芯１２の一部に、穴部４１を形成し、この穴部４１に透明材料で形成した蓋体４２を設けるようにすれば、その穴部４１を通して、確実に収納ケース１４内の脱臭剤１３の残量が確認できると共に、口芯１２をすべて透明材料で形成する必要がないので、一般に高価な透明材料の材料費を削減することもできる。
【００３８】
また、透明材料で形成した収納ケース１４にも、脱臭剤１３の残量を表示する目盛り４３が表示されているので、脱臭剤１３の残量を数値的に確認し、脱臭効果の維持確認も容易にできる。
【００３９】
また、図１、図２に示すように、透明材料で形成した収納ケース１４の上方又は下方、同じく透明材料で形成した口芯１２の上方又は、下方に、脱臭剤１３の色と異なる色で脱臭剤１３の残量を表示するマーキング４４を表示することによって、安価な構成で、脱臭剤１３の残量を定量的に確認することもできる。
【００４０】
（実施の形態２）
図６は、本発明の第２の実施の形態における電気掃除機用集塵袋の展開斜視図で、図７は、同電気掃除機用集塵袋から塵埃をすてる状態図である。なお、上記実施の形態と同一部分については、同一符号を付して、その説明を省略する。
【００４１】
本実施の形態は、図６に示すように、袋状体１６の後部に、塵埃を捨てる吐き出し口４５を設け、その吐き出し口４５の対辺に中芯４６を縫合し、この中芯４６の外面４７を、断面略コ字状で着脱自在の挟持具４８で挟持して、吐き出し口４５を閉じるようにしたものである。
【００４２】
以上のように構成された集塵袋１０について、以下その動作、作用を説明する。
【００４３】
塵埃で一杯になった集塵袋１０を掃除機本体２１から取外した後、図７に示すように、着脱自在の挟持具４８を外せば、吐き出し口４５から塵埃を容易に捨てることができ、集塵袋１０を廃棄することなく、繰り返し集塵袋１０が使えることとなる。また、吐き出し口４５から塵埃を捨てた後、吐き出し口４５から、脱臭剤１３を収納する収納ケース１４が目視でき、収納ケース１４内の脱臭剤１３の残量も確認できるものとなる。
【００４４】
図８は、袋状体１６の他の例を示すもので、袋状体１６の後部に形成した吐き出し口４５を挟持具４８で挟持する構成に代え、吐き出し口４５に開閉自在のファスナー４９を縫合したものである。
【００４５】
上記構成により、塵埃で一杯になった集塵袋１０を掃除機本体２１から取外した後、図７に示すように、開閉自在のファスナー４９を開き、集塵袋を逆さにすることで、吐き出し口４５から容易に塵埃が捨てられ、集塵袋１０を廃棄することなく、繰り返し集塵袋１０が使えることとなる。  また、吐き出し口４５から塵埃を捨てた後、吐き出し口４５から、脱臭剤１３を収納する収納ケース１４が目視でき、収納ケース１４内の脱臭剤１３の残量も確認できるものとなる。
【００４６】
さらに、挟持具４８等の別部品を使用しないので、部品点数も削減でき、材料コストが安く、また成型用の金型が不要なので、量産性に優れ、トータルコストを大きく低減することができる。
【００４７】
（実施の形態３）
図９は、本発明の第３の実施の形態における電気掃除機用集塵袋の収納ケースの斜視図、図１０は、同電気掃除機用集塵袋の部分断面図である。
【００４８】
なお、上記第１の実施の形態と同一部分については、同一符号を付してその説明を省略する。
【００４９】
本実施の形態は、図９、図１０に示すように、脱臭剤１３を収納する収納ケース１４の上部５２に脱臭剤１３を投入する投入口５０を形成し、この投入口５０に、ゴム、塩化ビニール、シリコーンなどの弾性材料からなり、着脱自在の覆部材５１を配設したものである。
【００５０】
上記構成により、脱臭剤１３を使いきった時に、覆部材５１を外して脱臭剤１３を投入口５０から補充することができ、確実に脱臭剤１３を袋状体１６内に供給可能な状態に維持することが出来る。
【００５１】
また、投入口５０は、収納ケースの上部５２に配設されているので、脱臭剤１３を収納ケース１４に供給するが容易となり且つ、覆部材５１を投入口５０に着脱する時、収納ケース１４から脱臭剤１３がこぼれでたりすることがなく、使用勝手が向上する。
【産業上の利用可能性】
【００５２】
以上のように、本発明にかかる電気掃除機用集塵袋及び電気掃除機は、塵埃と脱臭剤との接触面積及び接触時間が従来に比べ飛躍的に多くなることにより脱臭効果が著しく向上し、且つ、脱臭剤の残量が容易に確認できるので、途中で脱臭剤を切らすことも無く、使用勝手がよいもので、電気掃除機に限らず、臭気を発する生ゴミ処理機等各種機器の用途にも適用できる。
【図面の簡単な説明】
【００５３】
【図１】本発明の実施の形態１における電気掃除機用集塵袋の展開斜視図
【図２】同電気掃除機用集塵袋の収納ケースの斜視図
【図３】同電気掃除機用集塵袋を搭載した電気掃除機の全体斜視図
【図４】同電気掃除機の掃除機本体の断面図
【図５】同電気掃除機の要部断面図
【図６】本発明の実施の形態２における電気掃除機用集塵袋の展開斜視図
【図７】同電気掃除機用集塵袋から塵埃をすてる状態図
【図８】電気掃除機用集塵袋の他の例を示す展開斜視図
【図９】本発明の第３の実施の形態における同電気掃除機用集塵袋の収納ケースの斜視図
【図１０】同電気掃除機用集塵袋の部分断面図
【図１１】従来の電気掃除機用集塵袋を搭載した掃除機本体の断面図
【符号の説明】
【００５４】
１０  電気掃除機用集塵袋（集塵袋）
１１  開口部
１２  口芯
１３  脱臭剤
１４  収納ケース
１６  袋状体
１９  排出口
２１  掃除機本体
４１  穴部
４２  蓋体
４３  目盛り
４４  マーキング
４５  吐き出し口
４８  挟持具
４９  ファスナー
５０  投入口
５１  覆部材
５２  上部
【図１】
2006326026.tif 000003
【図２】
2006326026.tif 000004
【図３】
2006326026.tif 000005
【図４】
2006326026.tif 000006
【図５】
2006326026.tif 000007
【図６】
2006326026.tif 000008
【図７】
2006326026.tif 000009
【図８】
2006326026.tif 000010
【図９】
2006326026.tif 000011
【図１０】
2006326026.tif 000012
【図１１】
2006326026.tif 000013